(57)【要約】【課題】ユーザによる画像処理に関する調整を可能とするとともに、該調整の結果に関するデータを保存する。【解決手段】レンズ装置２００は、画像処理データを用いて撮像画像に対する画像処理を行う撮像装置１００に対して着脱可能なレンズ装置である。該レンズ装置は、画像処理データを記憶可能な記憶手段２１０と、ユーザ操作に応じて変更された画像処理データを生成し、該変更された画像処理データを記憶手段に記憶させるデータ変更手段２０７と、該変更された画像処理データを撮像装置に送信する送信手段２０７とを有する。【選択図】図１
2019154020.tif 000002
【特許請求の範囲】
【請求項１】
画像処理データを用いて撮像画像に対する画像処理を行う撮像装置に対して着脱可能なレンズ装置であって、
前記画像処理データを記憶可能な記憶手段と、
ユーザ操作に応じて変更された画像処理データを生成し、該変更された画像処理データを前記記憶手段に記憶させるデータ変更手段と、
前記変更された画像処理データを前記撮像装置に送信する送信手段とを有することを特徴とするレンズ装置。
【請求項２】
画像処理データを用いて撮像画像に対する画像処理を行う撮像装置に対して着脱可能なレンズ装置であって、
複数の前記画像処理データを記憶した記憶手段と、
ユーザ操作に応じて前記複数の画像処理データのうち前記画像処理に使用する画像処理データを選択するとともに該選択された画像処理データに関する情報を保存するデータ選択手段と、
前記選択された画像処理データを前記撮像装置に送信する送信手段とを有することを特徴とするレンズ装置。
【請求項３】
前記ユーザ操作が行われる操作手段を有することを特徴とする請求項１または２に記載のレンズ装置。
【請求項４】
前記ユーザ操作は、前記撮像装置に設けられた操作手段に対して行われることを特徴とする請求項１または２に記載のレンズ装置。
【請求項５】
前記画像処理データは、前記撮像装置が有する基準画像処理データに対する差分を示すデータであることを特徴とする請求項１から４のいずれか一項に記載のレンズ装置。
【請求項６】
前記記憶手段は、基準画像処理データと該基準画像処理データに対する差分を示す差分画像処理データとを記憶しており、
前記データ変更手段は、前記ユーザ操作に応じて前記差分画像処理データを変更して新たな差分画像処理データを生成し、該新たな差分画像処理データを前記記憶手段に記憶させ、
前記送信手段は、前記基準画像データと前記新たな差分画像処理データを前記撮像装置に送信することを特徴とする請求項１から４のいずれか一項に記載のレンズ装置。
【請求項７】
請求項１から６のいずれか一項に記載のレンズ装置の着脱が可能な撮像装置であって、
画像処理データを用いて撮像画像に対する画像処理を行う画像処理手段と、
前記レンズ装置から前記画像処理データを受信する受信手段とを有することを特徴とする撮像装置。
【請求項８】
画像処理データを用いて撮像画像に対する画像処理を行う撮像装置に対して着脱可能なレンズ装置の制御方法であって、
ユーザ操作に応じて変更された画像処理データを生成し、該変更された画像処理データを記憶手段に記憶させるステップと、
前記変更された画像処理データを前記撮像装置に送信するステップとを有することを特徴とするレンズ装置の制御方法。
【請求項９】
画像処理データを用いて撮像画像に対する画像処理を行う撮像装置に対して着脱可能なレンズ装置の制御方法であって、
複数の前記画像処理データを記憶手段に記憶させるステップと、
ユーザ操作に応じて前記複数の画像処理データのうち前記画像処理に使用する画像処理データを選択するとともに該選択された画像処理データに関する情報を保存するステップと、
前記選択された画像処理データを前記撮像装置に送信するステップとを有することを特徴とするレンズ装置の制御方法。
【請求項１０】
画像処理データを用いて撮像画像に対する画像処理を行う撮像装置に対して着脱可能なレンズ装置のコンピュータに、請求項８または９に記載の制御方法に従う処理を実行させることを特徴とするコンピュータプログラム。
【発明の詳細な説明】
【技術分野】
【０００１】
本発明は、撮像画像に対する画像補正処理を行う機能を有する撮像装置（以下、カメラ本体という）と、該カメラ本体に対して装着されるレンズ装置（以下、交換レンズという）とを含む撮像システムに関する。
【背景技術】
【０００２】
上記のような撮像システムには、交換レンズに固有の光学収差の影響を受けた撮像画像を該光学収差のデータを用いた画像処理により補正して良好な出力画像を得るものがある。特許文献１には、画像処理の１つである画像回復処理に用いる画像回復フィルタをカメラ本体内に複数記憶しておき、撮像時における交換レンズの状態に応じた画像回復フィルタを選択して画像回復処理を行う撮像システムが開示されている。また、特許文献２には、画像回復処理による回復度合いをユーザが調整することが可能な撮像システムが開示されている。
【先行技術文献】
【特許文献】
【０００３】
【特許文献１】特開２０１５−１３０５５７号公報
【特許文献２】特開２０１３−２５０９４６号公報
【発明の概要】
【発明が解決しようとする課題】
【０００４】
しかしながら、特許文献１にて開示された撮像システムでは、カメラ本体が複数の画像回復フィルタを記憶しているが、使用する画像回復フィルタをユーザが選択することはできない。また、特許文献２にて開示された撮像システムでは、ユーザが回復度合いを調整できるが、その調整された回復度合いを記憶することはない。
【０００５】
本発明は、ユーザによる画像処理に関する調整を可能とするとともに、該調整の結果に関するデータを保存することができるようにしたレンズ装置を提供する。
【課題を解決するための手段】
【０００６】
本発明の一側面としてのレンズ装置は、画像処理データを用いて撮像画像に対する画像処理を行う撮像装置に対して着脱可能なレンズ装置である。該レンズ装置は、画像処理データを記憶可能な記憶手段と、ユーザ操作に応じて変更された画像処理データを生成し、該変更された画像処理データを記憶手段に記憶させるデータ変更手段と、上記変更された画像処理データを撮像装置に送信する送信手段とを有することを特徴とする。
【０００７】
また、本発明の他の一側面としてのレンズ装置は、画像処理データを用いて撮像画像に対する画像処理を行う撮像装置に対して着脱可能なレンズ装置である。該レンズ装置は、複数の画像処理データを記憶した記憶手段と、ユーザ操作に応じて複数の画像処理データのうち画像処理に使用する画像処理データを選択するとともに該選択された画像処理データに関する情報を保存するデータ選択手段と、該選択された画像処理データを撮像装置に送信する送信手段とを有することを特徴とする。
【０００８】
なお、上記レンズ装置の着脱が可能な撮像装置であり、画像処理データを用いて撮像画像に対する画像処理を行う画像処理手段と、レンズ装置から画像処理データを受信する受信手段とを有する撮像装置も、本発明の他の一側面を構成する。
【０００９】
さらに本発明の他の一側面としての制御方法は、画像処理データを用いて撮像画像に対する画像処理を行う撮像装置に対して着脱可能なレンズ装置に適用される。該制御方法は、ユーザ操作に応じて変更された画像処理データを生成し、該変更された画像処理データを記憶手段に記憶させるステップと、上記変更された画像処理データを撮像装置に送信するステップとを有することを特徴とする。また、複数の画像処理データを記憶手段に記憶させるステップと、ユーザ操作に応じて複数の画像処理データのうち画像処理に使用する画像処理データを選択するとともに該選択された画像処理データに関する情報を保存するステップと、該選択された画像処理データを撮像装置に送信するステップとを有することを特徴とする。
【００１０】
なお、上記制御方法に従う処理をレンズ装置のコンピュータに実行させるコンピュータプログラムも、本発明の他の一側面を構成する。
【発明の効果】
【００１１】
本発明によれば、ユーザ操作に応じて撮像装置に送信する画像処理データの変更または選択が可能であるだけでなく、変更された画像処理データの記憶または選択された画像処理データに関する情報の保存が可能なレンズ装置を実現することができる。
【図面の簡単な説明】
【００１２】
【図１】本発明の実施例１である撮像システムの構成を示すブロック図。
【図２】実施例１における表示例を示す図。
【図３】実施例１の撮像システムで行われる処理を示すフローチャート。
【図４】図３の処理において交換レンズで行われる処理を示すフローチャート。
【図５】図３の処理においてカメラ本体で行われる処理を示すフローチャート。
【図６】実施例１の撮像システムで行われる別の処理を示すフローチャート。
【図７】図６の処理において交換レンズで行われる処理を示すフローチャート。
【図８】本発明の実施例２の撮像システムで行われる処理を示すフローチャート。
【図９】図８の処理において交換レンズで行われる処理を示すフローチャート。
【図１０】実施例２の撮像システムで行われる別の処理を示すフローチャート。
【図１１】図１０の処理において交換レンズで行われる処理を示すフローチャート。
【図１２】本発明の実施例３の撮像システムで行われる処理を示すフローチャート。
【図１３】図１２の処理において交換レンズで行われる処理を示すフローチャート。
【図１４】実施例３の撮像システムで行われる別の処理を示すフローチャート。
【図１５】図１４の処理において交換レンズで行われる処理を示すフローチャート。
【発明を実施するための形態】
【００１３】
以下、本発明の実施例について図面を参照しながら説明する。
【実施例１】
【００１４】
図１は、本発明の実施例１である撮像システムの構成を示す。撮像システムは、レンズ装置（以下、交換レンズという）２００と、該交換レンズ２００が着脱可能に装着される撮像装置（以下、カメラ本体という）１００とを含む。
【００１５】
カメラ本体１００には、メニューボタン（ＭＥＮＵ）１０１、セットボタン（ＳＥＴ）１０２および電子リング１０３が設けられている。メニューボタン１０１は、後述する表示部１０８にメニュー画面を表示させるためにユーザにより操作される。セットボタン１０２は、メニュー画面においてユーザが選択した項目を決定するために該ユーザにより操作される。
【００１６】
電子リング１０３は、ユーザにより回転操作される。不図示の電子リング検出部は、電子リング１０３の回転方向および回転量を検出する。この構成により、ユーザが電子リング１０３を回転操作することで、撮像システムにおける各種設定を変更することができる。
【００１７】
カメラ本体１００は、さらにカメラ電気回路部１０４を有する。カメラ電気回路部１０４は、撮像素子１０５、Ａ／Ｄ変換部１０６、画像処理部（画像処理手段）１０７、表示部１０８、カメラＣＰＵ１０９、記憶媒体１１０およびカメラ側通信部１１１を含む。
【００１８】
撮像素子１０５は、交換レンズ２００を通過した光により形成された被写体像を電気信号に変換する光電変換素子であり、ＣＣＤセンサやＣＭＯＳセンサにより構成される。撮像素子１０５から出力されたアナログ撮像信号は、Ａ／Ｄ変換部１０６によってデジタル撮像信号に変換されて画像データとして画像処理部１０７に供給される。
【００１９】
画像処理部１０７は、Ａ／Ｄコンバータ１０６からの画像データに対して各種画像処理を行うことで撮像画像データを生成し、必要に応じて該撮像画像データのデータ圧縮を行う。画像処理部１０７は、各種画像処理のうち画質調整のための画像処理（以下、画質調整処理という）を、画質調整データを用いて行う。
【００２０】
カメラＣＰＵ１０９は、各種演算を行うとともに、カメラ本体１００の動作全体を制御する。記憶媒体１１０は、画像データを記憶可能である。
【００２１】
さらにカメラＣＰＵ１０９は、カメラ通信部１１１と交換レンズ２００に設けられたレンズ通信部２０８とを介して、レンズ制御手段としてのレンズＣＰＵ２０７との通信が可能である。表示部１０８は、撮像画像や上述したメニュー画面および撮像に関する各種情報等を表示する。
【００２２】
交換レンズ２００は、フォーカスレンズ２０１、変倍レンズ２０２および絞り２０３により構成される撮像光学系と、ファンクションリング２０４と、レンズ電気回路部２０９とが設けられている。
【００２３】
フォーカスレンズ２０１は、光軸方向に移動してフォーカシングを行う。変倍レンズ２０２は、光軸方向に移動して撮像光学系の焦点距離を変化させる。絞り２０３は、その開口径（絞り値）が可変であり、開口径に応じて光量を変化させる。ファンクションリング２０４は、ユーザにより回転操作される。不図示のファンクションリング検出部は、ファンクションリング２０４の回転方向および回転量を検出する。この構成により、ユーザがファンクションリング２０４を回転操作することで、後述する画質調整データのパラメータを変更することができる。
【００２４】
レンズ電気回路部２０９は、さらに前述したレンズ通信部２０８およびレンズＣＰＵ２０７を含む。レンズＣＰＵ２０７は、その内部に各種情報や画質調整データを記憶可能な記憶手段としてのレンズ記憶部２１０を有する。レンズ記憶部２１０は、予め基準となる画質調整データ（以下、基準画質調整データという）を記憶している。なお、レンズ記憶部２１０は、レンズＣＰＵ２０７の外に設けられてもよい。
【００２５】
次に、図３のフローチャートを用いて、本実施例において撮像システムが行う処理（制御方法）について説明する。ともにコンピュータであるカメラＣＰＵ１０９とレンズＣＰＵ２０７は、相互に通信しながらコンピュータプログラムに従って本処理を行う。
【００２６】
ステップ１０１にて処理を開始したカメラＣＰＵ１０９は、ステップ１０２において撮像画像の画質調整処理を行うための画質調整モードか設定されているか否かを判定する。すなわち、表示部１０８に表示されたメニュー画面において画質調整モードが選択されたか否かを判定する。
【００２７】
画質調整モードでは、表示部１０８に、例えば図２（ａ），（ｂ）に示すような画質調整選択画面が表示される。画質調整選択画面には、図２（ａ）に示すような６つの画質調整項目（１．周辺光量、２．色収差、３．色にじみ、４．歪曲、５．シャープネスおよび６．色味）が表示される。カメラＣＰＵ１０９は、ユーザによる電子リング１０３の回転操作（ユーザ操作）に応じて、６つの画質調整項目のうち１つの画質調整項目を選択する。１つの画質調整項目が選択されると、その画質調整項目における調整の詳細（強度や特性等）をユーザが設定するための画面に切り替わる。
【００２８】
例えば、図２（ａ）に示す「５．シャープネス」が選択されると、図２（ｂ）の画面に切り替わる。ユーザは、交換レンズ２００に設けられた操作部（操作手段）としてのファンクションリング２０４を回転操作することで好みのシャープネス強度を設定することができる。このような調整の詳細設定は、データ変更手段であるレンズＣＰＵ２０７が操作部の操作に応じて基準画質調整データのパラメータを変更して、実際に画質調整処理において使用する画質調整データ（以下、使用画質調整データという）を生成することで可能となる。
【００２９】
カメラＣＰＵ１０９は、ステップ１０２において画質調整モードが設定されている場合はステップ１０３に進み、そうでなければ画質調整モードが選択されるのを待つ。
【００３０】
ステップ１０３では、カメラＣＰＵ１０９は、レンズＣＰＵ２０７に対して画質調整モードの設定を伝える通信を行う。この通信を受信したレンズＣＰＵ２０７は、ステップ１０４において通常モードから画質調整モードに遷移して、後述するステップ１０８およびステップ１０９での調整（基準画質調整データのパラメータの変更）の結果得られる使用画質調整データを保存するか否かを判定する。具体的には、図２（ｂ）の右上に示した「保存」が選択されたか否かを判断する。レンズＣＰＵ２０７は、「保存」が選択されていればステップ１０５に進み、そうでなければステップ１０６に進む。
【００３１】
ステップ１０５では、レンズＣＰＵ２０７は、使用画質調整データをレンズ記憶部２１０に保存する。
【００３２】
図４は、画質調整データの保存処理を示す。ステップ２０１で本処理をスタートしたレンズＣＰＵ２０７は、ステップ２０２においてカメラＣＰＵ１０９から送信されたデータ保存命令を受信する。このデータ保存命令を受けたレンズＣＰＵ２０７は、ステップ２０３において、使用画質調整データをレンズ記憶部２１０に保存し、保存処理を終了してステップ１０６に進む。
【００３３】
図３のステップ１０６では、カメラＣＰＵ１０９は、画質調整モードが終了したか否かを判定する。すなわち、図２（ａ）の左上に示す「戻る」が選択されたか否かを判定する。カメラＣＰＵ１０９は、画質調整モードが終了するとステップ１０７に進み、終了していなければステップ１０８に進む。
【００３４】
ステップ１０８では、レンズＣＰＵ２０７は、前述したファンクションリング検出部による検出結果からファンクションリング２０４が操作されたか否かを判定する。レンズＣＰＵ２０７は、ファンクションリング２０４が操作された場合にはステップ１０９に進み、操作されていない場合にはステップ１０４に戻る。
【００３５】
ステップ１０９では、レンズＣＰＵ２０７は、ファンクションリング検出部により検出されたファンクションリング２０４の回転方向および回転量に応じて基準画質調整データのパラメータを変更して使用画質調整データを生成する。
【００３６】
続いてステップ１１０では、送信手段としてのレンズＣＰＵ２０７は、使用画質調整データをカメラＣＰＵ１０９に送信する。
【００３７】
次にステップ１１１では、受信手段としてのカメラＣＰＵ１０９は、ステップ１１０で受信した使用画質調整データを用いて撮像画像データの画質調整処理を行い、その結果として得られた画質調整済み撮像画像データを表示部１０８に表示させる。具体的には、カメラＣＰＵ１０９は図５のフローチャートのステップ３０１で画質調整処理を開始する。
【００３８】
図５のステップ３０２では、カメラＣＰＵ１０９は受信した使用画質調整データを画像処理部１０７に出力し、画像処理部１０７は入力された使用画質調整データを用いて撮像画像データに対する画質調整処理を行う。
【００３９】
続いてステップ３０３では、画像処理部１０７は、画質調整処理により得られた調整済み撮像画像データを表示部１０８に出力する。表示部１０８は、入力された調整済み撮像画像データに対応する画像を表示する。こうして、ステップ３０４で画質調整処理を終了する。
【００４０】
画質調整処理を終了したカメラＣＰＵ１０９は、ステップ１０４に戻り、画質調整モードが終了するまで、ステップ１０４からステップ１０６およびステップ１０８からステップ１１１の処理を繰り返す。
【００４１】
ステップ１０６からステップ１０７に進んだカメラＣＰＵ１０９は、レンズＣＰＵ２０７に画質調整モードの終了を伝える通信を行う。本通信を受信したレンズＣＰＵ２０７は、画質調整モードから通常モードへと遷移して交換レンズ２００側での画質調整処理を終了する。
【００４２】
画質調整時にユーザが操作する操作部は、カメラ本体１００に設けられた電子リング１０３であってもよい。この場合に撮像システムで行われる処理について、図６のフローチャートを用いて説明する。
【００４３】
ステップ４０１からステップ４０７までは、図３に示したステップ１０１から１０７までと同じであり、ここでの説明を省略する。
【００４４】
ステップ４０８では、レンズＣＰＵ２０７は、カメラＣＰＵ１０９との通信により、電子リング１０３が回転操作されたか否かを判定する。電子リング１０３の回転操作は、前述した電子リング検出部を通じて検出される。レンズＣＰＵ２０７は、電子リング１０３が操作された場合にはステップ４０９に進み、そうでなければステップ４０４に戻る。
【００４５】
ステップ４０９では、レンズＣＰＵ２０７は、図７のフローチャートに示す処理を行う。ステップ５０１で本処理をスタートしたレンズＣＰＵ２０７は、ステップ５０２において、カメラＣＰＵ１０９との通信により、電子リング検出部により検出された電子リング１０３の操作情報（回転方向および回転量の情報）を受信する。そして、ステップ５０３では、レンズＣＰＵ２０７は、受信した電子リング１０３の操作情報に応じて基準画質調整データのパラメータを変更して使用画質調整データを生成する。
【００４６】
これに続くステップ４１０およびステップ４１１は、図３に示したステップ１１０およびステップ１１１と同じであり、ここでの説明は省略する。
【００４７】
本実施例では、交換レンズからカメラ本体に送信した使用画質調整データをカメラ本体においてそのまま使用して画質調整処理を行う場合について説明した。しかし、カメラ本体に基準画質調整データを保存しておき、交換レンズからカメラ本体に基準画質調整データに対する差分を示す画質調整データを送信し、カメラ本体において該差分を示す画質調整データを用いて使用画質調整データを生成するようにしてもよい。この場合、操作部のユーザ操作に応じて差分が変更される。
【００４８】
また、本実施例では、予めレンズ記憶部２１０に基準画質調整データを記憶させておき、これを交換レンズにおいてユーザ操作に応じて変更して使用画質調整データを生成する場合について説明した。しかし、カメラ本体に基準画質調整データを予め記憶させておき、カメラ本体から該基準画質調整データを受け取った交換レンズがその基準画質調整データを変更して使用画質調整データを生成し、該使用画質調整データをカメラ本体に送り返すようにしてもよい。
【実施例２】
【００４９】
次に、本発明の実施例２について説明する。実施例２の撮像システムの構成は、実施例１の撮像システムの構成と同じであり、実施例１の共通する構成要素には実施例１と同符号を付す。
【００５０】
本実施例では、使用画質調整データを基準画質調整データと差分画質調整データとに分けて通信を行う。図８のフローチャートを用いて、本実施例において撮像システムが行う処理（制御方法）について説明する。本実施例でも、カメラＣＰＵ１０９とレンズＣＰＵ２０７は、相互に通信しながらコンピュータプログラムに従って本処理を行う。
【００５１】
ステップ１００１にて処理が開始されると、レンズＣＰＵ２０７は、ステップ１００２においてレンズ記憶部２１０に記憶された基準画質調整データをカメラＣＰＵ１０９に通信する。
【００５２】
次にステップ１００３では、レンズＣＰＵ２０７は、レンズ記憶部２１０に記憶された差分画質調整データをカメラＣＰＵ１０９に通信する。カメラＣＰＵ１０９は、受信した基準画質調整データと差分画質調整データとから使用画質調整データを生成し、画像処理部１０７にて該使用画質調整データを用いて画質調整処理を行った画像を表示部１０８に表示する。
【００５３】
次にステップ１００４では、カメラＣＰＵ１０９は、実施例１のステップ１０２と同様に、撮像画像の画質調整処理を行うための画質調整モードか設定されているか否かを判定する。カメラＣＰＵ１０９は、画質調整モードが設定されている場合はステップ１００５に進み、そうでなければ画質調整モードが選択されるのを待つ。
【００５４】
ステップ１００５では、カメラＣＰＵ１０９は、レンズＣＰＵ２０７に対して画質調整モードの設定を伝える通信を行う。この通信を受信したレンズＣＰＵ２０７は、ステップ１００６において通常モードから画質調整モードに遷移して、後述するステップ１０１０およびステップ１０１１での調整（差分画質調整データのパラメータの変更）の結果得られる差分画質調整データを保存するか否かを判定する。レンズＣＰＵ２０７は、パラメータが変更されたタ差分画質調整データを保存する場合ステップ１００７に進み、そうでなければステップ１００８に進む。
【００５５】
ステップ１００７では、レンズＣＰＵ２０７は、パラメータが変更された差分画質調整データをレンズ記憶部２１０に保存する。
【００５６】
図９は、画質調整データの保存処理を示す。ステップ１１０１で本処理をスタートしたレンズＣＰＵ２０７は、ステップ１１０２においてカメラＣＰＵ１０９から送信されたデータ保存命令を受信する。このデータ保存命令を受けたレンズＣＰＵ２０７は、ステップ１１０３において、パラメータが変更された差分画質調整データをレンズ記憶部２１０に保存し、保存処理を終了してステップ１００８に進む。実施例１では使用画質調整データそのものをレンズ記憶部２１０に保存していたが、本実施例では基準画質調整データとの差分である差分画質調整データを保存するため、データ容量を小さくすることができ、レンズ記憶部２１０に必要な記憶容量を少なくすることができる。
【００５７】
図８のステップ１００８では、カメラＣＰＵ１０９は、実施例１のステップ１０６と同様に画質調整モードが終了したか否かを判定する。カメラＣＰＵ１０９は、画質調整モードが終了するとステップ１００９に進み、終了していなければステップ１０１０に進む。
【００５８】
ステップ１０１０では、レンズＣＰＵ２０７は、実施例１で説明したファンクションリング検出部による検出結果からファンクションリング２０４が操作されたか否かを判定する。レンズＣＰＵ２０７は、ファンクションリング２０４が操作された場合にはステップ１０１１に進み、操作されていない場合にはステップ１００６に戻る。
【００５９】
ステップ１０１１では、レンズＣＰＵ２０７は、ファンクションリング検出部により検出されたファンクションリング２０４の回転方向および回転量に応じて差分画質調整データのパラメータを変更して新たな差分画質調整データを生成する。
【００６０】
続いてステップ１０１２では、レンズＣＰＵ２０７は、ステップ１０１１で生成した新たな差分画質調整データをカメラＣＰＵ１０９に送信する。実施例１では使用画質調整データそのものを通信していたが、本実施例では使用画質調整データよりデータ容量が小さい差分画質調整データを通信するため、通信時間を短縮することができる。
【００６１】
次にステップ１０１３では、カメラＣＰＵ１０９は、ステップ１００２で受信した基準画質調整データとステップ１０１１で受信した差分画質調整データとを用いて使用画質調整データを生成し、該使用画質調整データを用いて撮像画像データの画質調整処理を行う。そして、その結果として得られた画質調整済み撮像画像データを表示部１０８に表示させる。具体的には、カメラＣＰＵ１０９は図１０に示すフローチャートのステップ１２０１で画質調整処理を開始する。
【００６２】
図１０のステップ１２０２では、カメラＣＰＵ１０９は、ステップ１００２で受信した基準画質調整データとステップ１０１２で受信した差分画質調整データから使用画質調整データを生成する。
【００６３】
次にステップ１２０３では、カメラＣＰＵ１０９は、生成した使用画質調整データを画像処理部１０７に出力する。画像処理部１０７は、入力された使用画質調整データを用いて撮像画像データに対する画質調整処理を行う。
【００６４】
続いてステップ１２０４では、画像処理部１０７は、画質調整処理により得られた調整済み撮像画像データを表示部１０８に出力する。表示部１０８は、入力された調整済み撮像画像データに対応する画像を表示する。こうして、ステップ１２０５で画質調整処理を終了する。
【００６５】
画質調整処理を終了したカメラＣＰＵ１０９は、ステップ１００６に戻り、画質調整モードが終了するまで、ステップ１００６からステップ１００８およびステップ１０１０からステップ１０１３の処理を繰り返す。
【００６６】
ステップ１００８からステップ１００９に進んだカメラＣＰＵ１０９は、レンズＣＰＵ２０７に画質調整モードの終了を伝える通信を行う。本通信を受信したレンズＣＰＵ２０７は、画質調整モードから通常モードへと遷移して交換レンズ２００側での画質調整処理を終了する。
【００６７】
画質調整時にユーザが操作する操作部は、カメラ本体１００に設けられた電子リング１０３であってもよい。この場合に撮像システムで行われる処理について、図１１のフローチャートを用いて説明する。
【００６８】
ステップ１３０１からステップ１３０９までは、図８に示したステップ１００１から１００９までと同じであり、ここでの説明を省略する。
【００６９】
ステップ１３１０では、レンズＣＰＵ２０７は、カメラＣＰＵ１０９との通信により、電子リング１０３が回転操作されたか否かを判定する。電子リング１０３の回転操作は、前述した電子リング検出部を通じて検出される。レンズＣＰＵ２０７は、電子リング１０３が操作された場合にはステップ１３１１に進み、そうでなければステップ１３０６に戻る。
【００７０】
ステップ１３１１では、レンズＣＰＵ２０７は、実施例１で図７のフローチャートを用いて説明した処理を行う。続くステップ１３１２およびステップ１３１３は、図８に示したステップ１０１２およびステップ１０１３と同じである。
【実施例３】
【００７１】
次に、本発明の実施例３について説明する。実施例３の撮像システムの構成は、実施例１と同じである。実施例３では、レンズ記憶部２１０に互いにパラメータが異なる複数の画質調整データが記憶されている。そして、ユーザによる操作部の操作（ユーザ操作）に応じていずれかの画質調整データが選択されることで、レンズＣＰＵ２０７からカメラＣＰＵ１０９に送信されて画像処理部１０７で使用される画質調整データが変更される。
【００７２】
本実施例において撮像システムが行う処理（制御方法）について、図１２のフローチャートを用いて説明する。本実施例でも、カメラＣＰＵ１０９とレンズＣＰＵ２０７は、相互に通信しながらコンピュータプログラムに従って本処理を行う。
【００７３】
ステップ６０１からステップ６０４は、図３に示したステップ１０１からステップ１０４と同じであり、ここでの説明は省略する。
【００７４】
ステップ６０４で「保存」が選択された場合は、レンズＣＰＵ２０７は、ステップ６０５に進む。ステップ６０５では、レンズ記憶部２１０に記憶された複数の画像調整データのうち現在選択されている１つの画質調整データ（後述する使用画質調整データ）に割り当てられたデータ番号を保存する。データ番号は、選択された画像処理データに関する情報に相当し、番号以外の記号等の識別可能な情報であればよい。
【００７５】
図１３は、データ番号の保存処理を示す。ステップ７０１で本処理をスタートしたレンズＣＰＵ２０７は、ステップ７０２においてカメラＣＰＵ１０９から送信されたデータ保存命令を受信する。このデータ保存命令を受けたレンズＣＰＵ２０７は、ステップ７０３において、使用画質調整データのデータ番号をレンズ記憶部２１０に保存し、保存処理を終了してステップ６０６に進む。
【００７６】
ステップ６０６およびステップ６０７は、図３に示したステップ１０６およびステップ１０７と同じであり、ここでの説明は省略する。
【００７７】
ステップ６０６において画質調整モードが終了していない場合は、レンズＣＰＵ２０７は、ステップ６０８においてファンクションリング検出部による検出結果からファンクションリング２０４が操作されたか否かを判定する。レンズＣＰＵ２０７は、ファンクションリング２０４が操作された場合にはステップ６０９に進み、操作されていない場合にはステップ６０４に戻る。
【００７８】
ステップ６０９では、データ選択手段としてのレンズＣＰＵ２０７は、ファンクションリング検出部により検出されたファンクションリング２０４の回転方向および回転量を取得する。そして、該ファンクションリング２０４の回転方向および回転量に応じて、レンズ記憶部２１０内の複数の画質調整データのうち画質調整処理に使用する画質調整データ（すなわち使用画質調整データ）を選択する。本実施例では、複数の画質調整データのそれぞれに互いに異なるデータ番号が割り当てられており、レンズＣＰＵ２０７は、ファンクションリング２０４の回転方向および回転量に応じて、選択するデータ番号を変更する。こうして使用画質調整データを変更することは、画質調整処理において使用する画質調整データのパラメータを変更することと等価である。レンズＣＰＵ２０７は、本ステップにて最終的に選択されたデータ番号を一時的に保存する。
【００７９】
続いてステップ６１０では、送信手段としてのレンズＣＰＵ２０７は、ステップ６０９で保存したデータ番号に対応する使用画質調整データをカメラＣＰＵ１０９に送信する。
【００８０】
ステップ６１１では、受信手段としてのカメラＣＰＵ１０９は、ステップ６１０で受信した使用画質調整データを用いて撮像画像データの画質調整処理を行い、その結果として得られた画質調整済み撮像画像データを表示部１０８に表示させる。
【００８１】
画質調整処理を終了したカメラＣＰＵ１０９は、ステップ６０４に戻り、画質調整モードが終了するまで、ステップ６０４からステップ６０６およびステップ６０８からステップ６１１の処理を繰り返す。
【００８２】
ステップ６６にて画質調整モードの終了を判定したカメラＣＰＵ１０９は、ステップ６０７に進み、レンズＣＰＵ２０７に画質調整モードの終了を伝える通信を行う。本通信を受信したレンズＣＰＵ２０７は、画質調整モードから通常モードへと遷移して交換レンズ２００側での画質調整処理を終了する。
【００８３】
使用画質調整データを選択するためにユーザが操作する操作部は、カメラ本体１００に設けられた電子リング１０３であってもよい。この場合に撮像システムで行われる処理について、図１４のフローチャートを用いて説明する。
【００８４】
ステップ８０１からステップ８０７は、図１２に示したステップ６０１からステップ６０７と同じであり、ここでの説明は省略する。
【００８５】
ステップ８０８では、レンズＣＰＵ２０７は、カメラＣＰＵ１０９との通信により、電子リング１０３が回転操作されたか否かを判定する。電子リング１０３の回転操作は、前述した電子リング検出部を通じて検出される。レンズＣＰＵ２０７は、電子リング１０３が操作された場合にはステップ８０９に進み、そうでなければステップ８０４に戻る。
【００８６】
ステップ８０９では、レンズＣＰＵ２０７は、図１５のフローチャートに示す処理を行う。ステップ９０１で本処理をスタートしたレンズＣＰＵ２０７は、ステップ９０２において、カメラＣＰＵ１０９との通信により、電子リング検出部により検出された電子リング１０３の操作情報（回転方向および回転量の情報）を受信する。
【００８７】
そしてステップ９０３では、レンズＣＰＵ２０７は、電子リング１０３の操作情報に応じて、レンズ記憶部２１０内の複数の画質調整データのうち画質調整処理に使用する使用画質調整データに対応するデータ番号を選択する。レンズＣＰＵ２０７は、本ステップにて最終的に選択されたデータ番号を一時的に保存する。
【００８８】
続く図１４のステップ８１０およびステップ８１１は、図１２に示したステップ６１０およびステップ６１１と同じであり、ここでの説明は省略する。
【００８９】
なお、実施例１および２で説明した基準画質調整データのパラメータを変更する又は使用画質調整データを選択するための操作部は、ファンクションリング１０４や電子リング１０３に限らず、表示部１０８に設けられたタッチパネルであってもよい。さらに、操作部の数は、１つでもよいし複数であってもよい。
【００９０】
以上説明した実施例１〜３では、撮像画像データの画質をユーザ任意の画質に調整することが可能となるとともに、該調整（つまりは画質調整処理）に用いられた使用画質調整データ、差分画質調整データまたはそのデータ番号を交換レンズに保存する。このため、カメラ本体に装着する交換レンズごとに、取得される撮像画像の画質を異ならせることができる。例えば、複数の交換レンズのうちある交換レンズを用いれば高解像度の撮像画像が得られ、他の交換レンズを用いれば解像度や周辺光量を落とした撮像画像が得られる等、交換レンズごとに画質が異なる撮像画像を取得することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００９１】
以上説明した各実施例は代表的な例にすぎず、本発明の実施に際しては、各実施例に対して種々の変形や変更が可能である。
【符号の説明】
【００９２】
１００  カメラ本体
１０３  電子リング
１０７  画像処理部
１０９  カメラＣＰＵ
２００  交換レンズ
２０４  ファンクションリング
２０７  レンズＣＰＵ
２１０  レンズ記憶部
【図１】
2019154020.tif 000003
【図２】
2019154020.tif 000004
【図３】
2019154020.tif 000005
【図４】
2019154020.tif 000006
【図５】
2019154020.tif 000007
【図６】
2019154020.tif 000008
【図７】
2019154020.tif 000009
【図８】
2019154020.tif 000010
【図９】
2019154020.tif 000011
【図１０】
2019154020.tif 000012
【図１１】
2019154020.tif 000013
【図１２】
2019154020.tif 000014
【図１３】
2019154020.tif 000015
【図１４】
2019154020.tif 000016
【図１５】
2019154020.tif 000017